(57)【特許請求の範囲】
【請求項１】
内蔵する記憶媒体に記憶された画像データを表示する表示部を有する携帯型電子機器を着脱可能な載置台であって、
前記表示部を制御する制御信号を前記携帯型電子機器に送信する出力手段と、
前記表示部の表示画像を拡大するレンズと、
前記レンズによる歪みを補正する画像変換情報を前記出力手段により前記携帯型電子機器に送信することで、前記レンズによる歪みと逆方向に前記表示部の画像を予め歪むように表示させて、前記レンズに表示される表示画面を最適化する制御手段と、を備えることを特徴とする載置台。
【請求項２】
前記レンズの特性に基づいて前記画像変換情報を特定する歪み特定手段を更に備え、
前記制御手段は、前記歪み特定手段により特定された前記画像変換情報を前記出力手段により前記携帯型電子機器に送信することを特徴とする請求項１に記載の載置台。
【請求項３】
前記歪み特定手段は、更に前記表示部と前記レンズとの距離に基づいて画像変換情報を特定することを特徴とする請求項２に記載の載置台。
【請求項４】
前記表示部とレンズとの距離を調整できる距離調整手段と、
該距離調整手段により変更された前記表示部とレンズとの距離を測定する距離測定手段と、を有し、
前記歪み特定手段が、該距離測定手段からの距離情報に基づいて画像変換情報を特定することを特徴とする請求項３に記載の載置台。
【請求項５】
前記距離測定手段は、距離センサであることを特徴とする請求項４に記載の載置台。
【請求項６】
前記レンズに表示される表示画面に対応して表示領域のサイズを調整する表示領域調整手段を有していることを特徴とする請求項１乃至請求項５の何れかに記載の載置台。
【請求項７】
前記表示部とレンズとの距離及び前記レンズの特性に基づいて前記表示領域を自動で調整する表示制御手段を有していることを特徴とする請求項６に記載の載置台。
【請求項８】
前記表示制御手段が、前記携帯型電子機器の記憶媒体に記憶される撮影情報や日時情報を前記表示領域調整手段に表示させることを特徴とする請求項７に記載の載置台。
【請求項９】
前記表示制御手段が、当該載置台或いは前記携帯型電子機器が保有する現在日時情報を前記表示領域調整手段に表示させることを特徴とする請求項７又は請求項８に記載の載置台。
【請求項１０】
前記表示領域調整手段は、液晶パネルであることを特徴とする請求項６乃至請求項９の何れかに記載の載置台。
【請求項１１】
前記表示領域調整手段は、矩形開口の上下幅及び左右幅を夫々調整することができる機械式シャッターであることを特徴とする請求項６又は請求項７に記載の載置台。
【請求項１２】
前記携帯型電子機器に電力を供給する充電手段を備えていることを特徴とする請求項１乃至請求項１１の何れかに記載の載置台。
【請求項１３】
載置台と携帯型電子機器とからなる表示制御システムであって、
前記載置台は、
請求項１記載の載置台であって、
前記携帯型電子機器は、
前記載置台から送信された画像変換情報に基づき、該載置台の備えるレンズによる歪みと逆方向に当該携帯型電子機器の備える表示部の画像を予め歪むように表示させて、前記レンズに表示される表示画面を最適化する画像制御部を備える、
ことを特徴とする表示制御システム。
【発明の詳細な説明】
【技術分野】
【０００１】
本発明は、デジタルスチルカメラ等の小型表示装置付き携帯型電子機器を載置する載置台、及び表示制御システムに関する。
【背景技術】
【０００２】
今日、デジタルスチルカメラやデジタルビデオカメラ等の携帯型電子機器によって撮影された画像や動画をメモリカード等の記憶媒体に記憶させて、この記憶媒体に記憶されているデータを液晶ディスプレイに表示するデジタルフォトスタンド（電子写真立て）が多用されている。
【０００３】
このようなデジタルフォトスタンドは、４〜１０インチ程度の比較的大きなバックライト付液晶ディスプレイを備えており、高価な製品とされている。また、デジタルフォトスタンドで画像を鑑賞する場合、観者は携帯型電子機器からメモリカードを取り出し、このデジタルフォトスタンドにメモリカードを装着させる、或いは、デジタルフォトスタンドと携帯型電子機器とをケーブルで繋ぐなどしてデータを携帯型電子機器からデジタルフォトスタンドに転送するといった作業が必要であり、手間を要していた。
【０００４】
また、載置台に小型表示装置としての液晶表示部を備える携帯型電子機器を装着して電気的に接続し、載置台の操作部を操作することで携帯型電子機器の液晶表示部を駆動させて、携帯型電子機器自体をデジタルフォトスタンドとして利用する提案もなされている（例えば、特許文献１）。
【先行技術文献】
【特許文献】
【０００５】
【特許文献１】特開２００３−３７７６４号公報
【発明の概要】
【発明が解決しようとする課題】
【０００６】
特許文献１には、液晶表示部（ＬＣＤ）を有する携帯型電子機器（デジタルスチルカメラ）が装着される載置台であって、携帯型電子機器が装着されることで電気的に接続されて、当該載置台の操作部を操作することによって、携帯型電子機器の内蔵する記憶媒体に記憶される画像データを順次表示するなど、デジタルフォトスタンドとしての機能を発揮することのできる載置台が開示されている。
【０００７】
しかしながら、上記文献における発明は、携帯型電子機器の液晶表示部をデジタルフォトスタンドにおける観賞用の表示部として単に利用して、載置台の操作部によって容易に表示画像を切り換えることができるといった付加価値を載置台に付与しているにすぎなかった。したがって、観者は、携帯型電子機器が有する３インチ程度の小さなサイズの液晶表示部を鑑賞することになるため、デジタルフォトスタンドとして利用するときに、複数人で同時に鑑賞する、或いは、家のインテリアの一部として装飾する場合には、物足りないといった感じを観者に与えてしまうといった問題点があった。
【０００８】
本発明は、このような従来技術の問題点に鑑みてなされたものであり、携帯型電子機器を装着するだけで、デジタルフォトスタンドとして気軽に用いることのできる載置台であって、観賞する表示画面の拡大を自由に行うことのできる載置台、及び表示制御システムを提供することを目的としている。
【課題を解決するための手段】
【０００９】
本発明の載置台は、内蔵する記憶媒体に記憶された画像データを表示する表示部を有する携帯型電子機器を着脱可能な載置台であって、前記表示部を制御する制御信号を前記携帯型電子機器に送信する出力手段と、前記表示部の表示画像を拡大するレンズと、前記レンズによる歪みを補正する画像変換情報を前記出力手段により前記携帯型電子機器に送信することで、前記レンズによる歪みと逆方向に前記表示部の画像を予め歪むように表示させて、前記レンズに表示される表示画面を最適化する制御手段と、を備えることを特徴とする。
また、前記レンズの特性に基づいて前記画像変換情報を特定する歪み特定手段を更に備え、前記制御手段は、前記歪み特定手段により特定された前記画像変換情報を前記出力手段により前記携帯型電子機器に送信することを特徴とする。
そして、前記歪み特定手段は、更に前記表示部と前記レンズとの距離に基づいて画像変換情報を特定することを特徴とする。
【００１０】
さらに、本発明の載置台は、前記表示部とレンズとの距離を調整できる距離調整手段と、該距離調整手段により変更された前記表示部とレンズとの距離を測定する距離測定手段と、を有し、前記歪み特定手段が、該距離測定手段からの距離情報に基づいて画像変換情報を特定することを特徴とする。
【００１１】
そして、前記距離測定手段は、距離センサであることが好適である。
【００１２】
また、載置台は、前記レンズに表示される表示画面に対応して表示領域のサイズを調整する表示領域調整手段を有している。
【００１３】
そして、前記表示部とレンズとの距離及び前記レンズの特性に基づいて前記表示領域を自動で調整する表示制御手段を有していることが好適である。
【００１４】
さらに、前記表示制御手段が、前記携帯型電子機器の記憶媒体に記憶される撮影情報や日時情報を前記表示領域調整手段に表示させる。
【００１５】
そして、前記表示制御手段が、当該載置台或いは前記携帯型電子機器が保有する現在日時情報を前記表示領域調整手段に表示させる。
【００１６】
また、前記表示領域調整手段は、液晶パネルであることが好適である。
【００１７】
そして、前記表示領域調整手段は、矩形開口の上下幅及び左右幅を夫々調整することができる機械式シャッターであることもある。
【００１８】
さらに、この載置台は、前記携帯型電子機器に電力を供給する充電手段を備えている。
また、本発明の表示制御システムは、載置台と携帯型電子機器とからなる表示制御システムであって、前記載置台は、内蔵する記憶媒体に記憶された画像データを表示する表示部を有する携帯型電子機器を着脱可能な載置台であって、前記表示部を制御する制御信号を前記携帯型電子機器に送信する出力手段と、前記表示部の表示画像を拡大するレンズと、前記レンズによる歪みを補正する画像変換情報を前記出力手段により前記携帯型電子機器に送信することで、前記レンズによる歪みと逆方向に前記表示部の画像を予め歪むように表示させて、前記レンズに表示される表示画面を最適化する制御手段と、を備え、前記携帯型電子機器は、前記載置台から送信された画像変換情報に基づき、該載置台の備えるレンズによる歪みと逆方向に当該携帯型電子機器の備える表示部の画像を予め歪むように表示させて、前記レンズに表示される表示画面を最適化する画像制御部を備える、ことを特徴とする。
【発明の効果】
【００１９】
本発明によれば、携帯型電子機器を装着するだけで、デジタルフォトスタンドとして気軽に用いることのできる載置台、及び表示制御システムであって、観賞する表示画面の拡大を自由に行うことのできる載置台、及び表示制御システムを提供することができる。
【図面の簡単な説明】
【００２０】
【図１】本発明の実施例に係る載置台及び携帯型電子機器の一部断面を示す側面模式図である。
【図２】本発明の実施例に係る載置台の機能回路ブロックを示す図である。
【図３】本発明の実施例に係る載置台の動作を示す説明図である。
【図４】本発明の実施例に係る載置台のレンズにおける表示画面を示す正面図である。
【発明を実施するための形態】
【００２１】
以下、本発明を実施するための形態について述べる。載置台1は、携帯型電子機器としてのデジタルスチルカメラ10を着脱可能とするものであり、このデジタルスチルカメラ10は、当該デジタルスチルカメラ10が内蔵する記憶媒体としてのメモリカード16に記憶された画像データを表示する小型表示装置としての液晶表示部12を有している。
【００２２】
そして、載置台1は、デジタルスチルカメラ10の液晶表示部12を制御する制御手段である制御部40と、該制御手段に操作信号を送信する入力手段としての操作部28と、液晶表示部12の表示画像を拡大するレンズ5と、液晶表示部12とレンズ5との距離に基づき、レンズ5による歪みを補正する歪み補正手段である歪み補正部42と、を備えている。
【００２３】
この歪み補正手段は、液晶表示部12とレンズ5との距離及びレンズ5の特性に基づいて画像変換情報をデジタルスチルカメラ10のカメラ制御部15に送信する。そして、画像変換情報を受信したカメラ制御部15は、表示駆動部11を制御してレンズ5による歪みと逆方向に、液晶表示部12の画像を予め歪むように表示させる。
【００２４】
このように、接続されているデジタルスチルカメラ10の液晶表示部12の画像を予めレンズ歪みと逆方向に歪ませるように表示させる逆ディストーション補正を、歪み補正手段がカメラ制御部15を介して実行することで、観者がレンズ5を介して見る液晶表示部12の画像、即ちレンズ5に表示される表示画面（観者から見える虚像）を最適化することができる。
【００２５】
また、この載置台1は、液晶表示部12とレンズ5との距離を調整できる距離調整手段と、該距離調整手段により変更された液晶表示部12とレンズ5との距離を測定する距離測定手段と、を有し、歪み補正手段が、該距離測定手段からの距離情報を距離算出部41を介して受信して、当該距離情報に基づいて歪みを補正する。
【００２６】
そして、距離調整手段は、載置台1が内蔵するモータ、ギア列により前後方向に移動可能な取付部36から成る可動機構であり、距離測定手段は、赤外線を利用した距離センサ26である。
【００２７】
また、載置台1は、レンズ5に表示される表示画面に対応して表示領域22aのサイズが、液晶表示部12とレンズ5との距離及びレンズ5の特性に基づいて、制御手段により自動で調整される表示領域調整手段としての白黒液晶パネル22を有している。
【００２８】
そして、制御手段は、デジタルスチルカメラ10のメモリカード16に記憶される撮影情報56や日時情報52を白黒液晶パネル22に表示させる。
【００２９】
また、制御手段は、載置台1或いはデジタルスチルカメラ10が保有する現在日時情報54を白黒液晶パネル22に表示させる。
【００３０】
さらに、この載置台1は、デジタルスチルカメラ10の電源電池19に電力を供給する充電手段としての充電回路49を備えている。
【実施例】
【００３１】
以下、本発明の実施例を図に基づいて詳説する。図１は、載置台1及び携帯型電子機器であるデジタルスチルカメラ10の一部断面を示す側面模式図である。尚、本実施例において、左右とは観者がレンズ5を介して液晶表示部12を見たときの左右方向を示し、前後とは観者が液晶表示部12を見たときの手前側を前方、奥側を後方とする。
【００３２】
先ず、載置台1に着脱自在とされる携帯型電子機器であるデジタルスチルカメラ10について説明する。このデジタルスチルカメラ10は、背面側が手前になるように載置台1に装着することで、載置台1と一体となってデジタルフォトフレームとしての機能を発揮する。
【００３３】
このデジタルスチルカメラ10は、略方形状であって、筐体の正面には、図示しないが可動レンズ群や固定レンズ群が内蔵されるレンズユニットとしてのレンズ鏡筒や、フラッシュ等が適宜配設されており、筐体の背面には、各種の設定を行う各種ボタンや、図示したように小型表示装置としての液晶表示部12が配設されている。
【００３４】
この液晶表示部12は、例えば、バックライトを有する２．５インチ、アスペクト比４：３、２３０，４００ドット（９６０×２４０）のＴＦＴカラー液晶モニタである。また、この液晶表示部12は、撮影モード時にはファインダーとして用いられ、再生モード時にはデジタルスチルカメラ10が内蔵する記憶媒体であるメモリカードから読み出された静止画像データ又は動画像データを選択的に再生する。
【００３５】
そして、載置台1は、装着されたデジタルスチルカメラ10の液晶表示部12の画像を切り換えるなど、液晶表示部12の制御を実行することができるとともに、デジタルスチルカメラ10をレンズ5に近づけたり遠ざけたりするように移動させることで、観者がレンズ5を介して見たときの表示画像の拡大を自由に行うことができるようになっている。以下、載置台1の構成について説明する。
【００３６】
この載置台1は、テーブルなどの載置面に置かれる基台30と、基台30の前端に所定の角度で取付けられる保持枠20と、を有している。また、この載置台1は、図示しないが、各種回路、駆動源としてのモータやギア列等を内蔵している。
【００３７】
基台30の上面には、内蔵するモータにより回動されるギア列等を介して前後方向に移動することができる取付部36が設けられている。尚、この取付部36は、図示しないデジタルスチルカメラ10の形状に対応した凹部を備え、デジタルスチルカメラ10を嵌着固定して保持することができるものである。
【００３８】
また、この取付部36は、図示するように基台30の上面において、当該取付部36の左右側部を挟み込むように、且つ、前後方向に延在するように配置されるガイドレール32によって移動方向が前後方向に制限される。つまり、載置台1は、液晶表示部12と保持枠20に固定されるレンズ5との距離を調整できる距離調整手段として、モータ、ギア列により前後方向に移動可能な取付部36から成る可動機構を有している。
【００３９】
この可動機構は、種々の態様を採用することができ、例えば、取付部36の側面において前後に延在するようにラックを設け、モータの駆動力をギア列を介してラックに伝達する構成とすれば、モータを正転或いは逆転させることで取付部36を前方或いは後方に移動させることができる。
【００４０】
そして、保持枠20は、レンズ5を所定の角度で保持するものであり、装着されるデジタルスチルカメラ10の液晶表示部12の面と、レンズ5とが略平行となるようにレンズ5を固定しているものである。これにより、観者は、レンズ5を介して拡大された液晶表示部12の表示画像を見ることができる。
【００４１】
また、保持枠20の前面には、図示しない各種の操作スイッチや電源スイッチなどが配設されている。保持枠20に操作部を設けることで、観者は、表示画像を見ながら次々に画像を切り換えたり、各種の設定をするための操作を容易に行うことができる。
【００４２】
そして、保持枠20におけるレンズ5の前面側にはガラス24が取付けられ、ガラス24の前面側には白黒液晶パネル22が配設されている。尚、この白黒液晶パネル22は、比較的安価なバックライトを有していないＴＮ方式の液晶表示パネルであるため、載置台1のコストに与える影響を抑えることができるものである。
【００４３】
また、保持枠20の後面下部にはデジタルスチルカメラ10の液晶表示部12とレンズ5との距離を測定する距離測定手段である距離センサ26が配設されている。この距離センサ26は、赤外線を発光する赤外線発光素子を備えた発光部と、発光部から放射される光に反応する受光部とを具備する赤外線センサである。
【００４４】
つまり、距離センサ26は、デジタルスチルカメラ10の後面より反射してきた光を受光部で受光し、受光部で受光した光に基づきデジタルスチルカメラ10の後面との距離、つまり、液晶表示部12とレンズ5との距離に応じた信号を生成する。
【００４５】
尚、距離センサ26は、赤外線センサとする場合に限定することなく、超音波を発振する発振部とデジタルスチルカメラ10からの反射波を受波する受波部とで構成される超音波センサとして構成することもできる。また、レーザー光を利用した光センサ等を距離センサ26として採用することもできる。
【００４６】
そして、距離測定手段として距離センサ26を用いる場合に限定されることもなく、例えば、ガイドレール32を金属製として、該ガイドレール32に通電し、ガイドレール32に接触する取付部36の位置により変化する抵抗値を検出することで、距離情報を得る構成とすることもできる。
【００４７】
次に、載置台1の制御動作について、図２のブロック図を用いて説明する。この載置台1は、図示するように、制御手段としての制御部40、歪み補正部42、距離算出部41、電源回路46や充電回路49等を有している。そして、この載置台1は、デジタルスチルカメラ10が取付部36に装着されることで、入出力インターフェース14,44を介してデジタルスチルカメラ10とデータの送受を行うことができるようになっている。
【００４８】
制御部40は、載置台1の各回路の動作制御を司るものであって、ＣＰＵや各種セッティング等の動作プログラムを固定的に記憶したＲＯＭ及びワークメモリとして使用されるＲＡＭ等により構成される。
【００４９】
また、この制御部40は、デジタルスチルカメラ10のカメラ制御部15に制御信号を送信して、間接的にデジタルスチルカメラ10の表示駆動部11を制御することで、デジタルスチルカメラ10の液晶表示部12に表示される画像を切り換えたり、後述の歪み補正部42を制御して、デジタルスチルカメラ10の液晶表示部12に表示させる画像を変換させて表示させる。尚、カメラ制御部15は、デジタルスチルカメラ10の各回路の動作制御を司るＣＰＵやＲＯＭ、ＲＡＭ等により構成されるものである。
【００５０】
そして、載置台1の制御部40は、デジタルスチルカメラ10に内蔵される記憶媒体であるメモリカード16に記憶された画像データと距離算出部41からの距離情報並びにレンズ5の特性情報に基づいて表示駆動部45を制御することで、観者から見えるレンズ5上の表示画面（虚像）の上下幅及び左右幅に合わせて表示領域とフレーム枠部を白黒液晶パネル22に形成させる。表示領域及びフレーム枠部の形成の説明については後述する。
【００５１】
また、制御部40は、デジタルスチルカメラ10のメモリカード16に記憶された画像毎の撮影情報や日時情報を、白黒液晶パネル22を表示駆動部45によって駆動させることで、白黒液晶パネル22のフレーム枠部に撮影情報等の文字を表示させる。
【００５２】
さらに、制御部40は、デジタルスチルカメラ10が保有する時計手段からの現在日時情報を受信して、表示駆動部45を制御することで、この現在日時情報を白黒液晶パネル22のフレーム枠部に表示させる。
【００５３】
そして、載置台1は、外部電源50と電気的に接続される電源回路46を有している。この電源回路46は、外部電源50からの入力電力から必要とされる出力電力を生成する電力変換回路であって、載置台1の各種回路に電力を供給するものである。また、この載置台1には、デジタルスチルカメラ10に電力を供給する充電手段としての充電回路49が内蔵されている。したがって、載置台1がデジタルスチルカメラ10に内蔵される電池19と電気的に接続されることで、外部電源50からの電力をデジタルスチルカメラ10の電池19に供給して当該電池19を充電することができる。
【００５４】
そして、入力手段としての操作部28は、操作信号を制御部40に送信して、制御部40を動作させるものである。この操作部28は、保持枠20の前面等に配設されるスイッチ群であり、画像を順次切り換えるための切り換えスイッチ、画像を拡大表示させるためのズームキー、各種の設定を行うための設定スイッチ等から構成される。
【００５５】
取付部駆動回路47は、操作部28のズームキーが操作されることにより入力される操作信号に基づいて制御部40により制御される。そして、制御部40からの制御信号を受信した取付部駆動回路47は、モータ48を正転或いは逆転駆動することにより、モータ48にギア列を介して連結される取付部36を前方或いは後方に移動させる。
【００５６】
距離算出部41は、距離センサ26から受信した信号を距離情報に変換して歪み補正部42に送信する。また、距離センサ26は、操作部28のズームキーが操作されて、距離調整手段により液晶表示部12とレンズ5との距離が変更される際にも常に監視を行っている。そして、距離算出部41は、距離センサ26からの入力信号が変更される度に、つまり、液晶表示部12とレンズ5との距離が変更される度に、距離情報を更新して歪み補正部42に送信する。尚、距離算出部41からの距離情報は、一時的に制御部40のＲＡＭに記憶されて、距離情報は白黒液晶パネル22の表示領域サイズの算出に用いられる。
【００５７】
そして、レンズ5を介して観者に見える表示画面（観者から見える虚像）は液晶表示部12に表示される画像に対して歪むこととなるが、歪み補正手段としての歪み補正部42が、このレンズ歪み量を距離情報及び画像データ並びにレンズ特性情報から算出して、液晶表示部12に表示させる画像を予めレンズ5による歪みと逆方向に歪ませる逆ディストーション補正を実行することで、観者に見える表示画面を最適化することができる。
【００５８】
具体的には、この歪み補正部42は、距離算出部41から受信した距離情報及びデジタルスチルカメラ10から受信した画像データ並びに予めＲＡＭに記憶されるレンズ5の特性情報に基づいて歪み量を算出し、この歪み量に対応した画像補正のための画像変換情報をデジタルスチルカメラ10のカメラ制御部15に送信する。そして、画像変換情報を受信したカメラ制御部15は、表示駆動部11を制御してレンズ5による歪みと逆方向に、液晶表示部12の画像を予め歪むように表示させる。
【００５９】
このように、接続されているデジタルスチルカメラ10の液晶表示部12の画像を予めレンズ歪みと逆方向に歪ませるように表示させる逆ディストーション補正を、歪み補正手段がカメラ制御部15を介して実行することで、観者がレンズ5を介して見る液晶表示部12の画像、即ちレンズ5に表示される表示画面（観者から見える虚像）を最適化することができる。
【００６０】
尚、歪み補正手段による補正の方法は、上記のごとくカメラ制御部15に表示駆動部11を制御させるための画像変換情報をカメラ制御部15に送信する場合に限ることなく、ＶＲＡＭなどの表示用メモリを載置台1に内蔵して、デジタルスチルカメラ10から受信した画像データの座標を歪み補正部42が変換して表示用メモリに記録し、この記録情報を画像変換情報としてカメラ制御部15を介して表示駆動部11に送信することで、液晶表示部12の画像を歪ませるように表示素子を駆動制御することとしてもよい。
【００６１】
次に、デジタルスチルカメラ10の液晶表示部12に表示される画像を載置台1のレンズ5により拡大表示するための載置台1の動作について、図３を参照して説明する。図３は、本実施例に係る載置台1の動作を示す説明図である。
【００６２】
図３（ａ）に示すように、液晶表示部12を焦点距離の内側に位置させることで、観者は、レンズ5を介して液晶表示部12の虚像13を見ることができる。言い換えれば、レンズ5上に拡大された表示画面が形成される。そして、図３（ｂ）に示すように、載置台1の取付部36が後方に移動すると、観者には虚像13が更に拡大されて見えることとなる。
【００６３】
また、上記したように、取付部36が移動する間も距離センサ26によって常にレンズ5と液晶表示部12間の距離が監視されているため、歪み補正部42が変更された距離情報に対応する画像変換情報をカメラ制御部15に随時送信することで、液晶表示部12には、レンズ5と液晶表示部12との距離情報に応じた画像が表示され、レンズに表示される表示画面を最適な状態に保つことができる。
【００６４】
尚、歪み補正手段による画像表示は、観者が操作部28を操作することで微調整が可能とされる。これにより、観者が予め画像の鑑賞場所を決めておき、レンズ5と所定距離だけ離れた位置において最適となるように調整しておくことで、表示画面の拡大率が変更されたときにも常に最適な表示画面をレンズ5上に形成することができる。
【００６５】
そして、この載置台1は、図１に示したように、レンズ5の前方におけるガラス24の前面に白黒液晶パネル22を有している。この白黒液晶パネル22は、図４（ａ）に示すように、観者から見えるレンズ5上の拡大表示画面の上下幅及び左右幅に適したサイズの表示領域22aとフレーム枠部22bを制御部40により自動で調整可能とする表示領域調整手段としての機能を担うものである。
【００６６】
この白黒液晶パネル22は、中央部の矩形状部分においてはドットマトリクス表示の画素を制御して液晶表示部12の光を透過させる表示領域22aとするが、白黒液晶パネル22における外周部においては、ドットマトリクス表示の画素を制御して、レンズ5に表示される表示画面の外周からの光（つまり、デジタルスチルカメラ10の液晶表示部12の周囲の拡大された像）を遮ることで、黒の表示として当該黒の部分をフレーム枠部22bとすることができる。
【００６７】
そして、この白黒液晶パネル22の表示領域22a及びフレーム枠部22bは、制御部40のＲＡＭに一時的に記憶されている距離情報とデジタルスチルカメラ10からの画像データやレンズ特性情報に基づいて決定される。これにより、取付部36が前後に移動して、レンズ5上の拡大表示画面のサイズが変わったり、表示画像を切り換えて液晶表示部12内に表示される画像のアスペクト比が４：３から、１６：９に変わったりしたとしても、白黒液晶パネル22は、その画像のサイズ（上下幅及び左右幅）に適した表示領域22a及びフレーム枠部22bを形成することができる。
【００６８】
尚、この表示領域22aの最適サイズは、上記した歪み補正手段による画像表示の微調整と同様に、観者が操作部28を操作することで微調整が可能とされる。これにより、観者が予め画像の鑑賞場所を決めておき、レンズ5と所定距離だけ離れた位置において最適となるように調整しておくことで、画像が変更されたときにも常に最適な表示領域22aを形成することができる。尚、この白黒液晶パネル22は、表示領域22aを距離の変化に応じて自動で調整する構成とする場合に限定することなく、自動調整機能を省略して、観者が操作部28を操作することで、レンズ5上の表示画面サイズに適した表示領域22aを、手動で形成可能な構成とすることもできる。
【００６９】
これにより、拡大された液晶表示部12の画像だけを表示領域22aに表示させることができるため、無駄な部分を表示することなく、フォトフレームとしての外観性をよくして、インテリアとしての機能をより向上させることができる。
【００７０】
また、制御部40が、液晶表示部12とレンズ5との距離及びレンズ5の特性に基づいて液晶表示部12に表示される画像サイズに適合した表示領域22aを自動で調整するため、観者は手軽に拡大率を変えて表示画像の鑑賞を楽しむことができる。
【００７１】
そして、図４（ｂ）に示すように、白黒液晶パネル22には、フレーム枠部22bを利用して、カメラ制御部15を介して受信したメモリカード16に記憶される画像毎の日時情報52を表示させることができる。また、白黒液晶パネル22のフレーム枠部22bには、画像サイズや圧縮比率、感度、絞り値、シャッタータイム等の撮影情報56を表示させることもできる。これにより、レンズ5上に画像だけでなく、画像毎の情報を表示させてフォトフレームとしての付加価値を高めることができる。
【００７２】
さらに、フォトフレームとしての付加価値をより高めるために、白黒液晶パネル22のフレーム枠部22bには、デジタルスチルカメラ10が保有する時計手段からの現在日時情報54を表示させることもできる。尚、時計手段は、載置台1に備えることとして現在日時情報54を表示させることとしてもよい。そしてまた、デジタルスチルカメラ10にパーソナルコンピュータ等の外部機器を接続して、該外部機器から入力された画像名称がメモリカード16に記憶されている場合には、この白黒液晶パネル22のフレーム枠部22bに、この画像名称情報58を表示させることもできる。
【００７３】
したがって、この載置台1は、白黒液晶パネル22によって表示領域22a及びフレーム枠部22bを形成するのみならず、フレーム枠部22bを利用して様々な文字情報を表示させることができるため、拡大表示画面と当該文字情報が重なることなく両者を表示させることができる。尚、これらの文字情報のフォントやサイズ、位置等は観者が操作部28を操作することにより自由に変えてフレーム枠部22bの模様替えをすることができる。
【００７４】
このように、本発明によれば、携帯型電子機器としてのデジタルスチルカメラ10を装着するだけで、デジタルスチルカメラ10を充電すると同時にデジタルフォトスタンドとして気軽に用いることのできる載置台1であって、観賞する表示画面の拡大を自由に行うことのできる載置台1を提供することができる。
【００７５】
また、通常のデジタルフォトフレームのように、バックライト付きの比較的大きなカラー液晶表示ディスプレイ等を載置台1に設ける必要がないため、製品コストが抑えられた載置台1として提供することができる。
【００７６】
そして、この載置台1は、操作部28を操作することによって、前後方向に駆動可能とされる距離調整手段と、液晶表示部12とレンズ5との距離を測定する距離測定手段と、を備えているため、観者は表示画面を見ながら容易に拡大率を変えることができる。また、拡大率の変更が行われても、距離測定手段が液晶表示部12とレンズ5との距離を常時監視して、距離調整手段により変更された距離に応じて、距離情報を随時歪み補正手段に送信できるため、いつでも最適な表示画面を観者に提供することができる。
【００７７】
さらに、距離測定手段として赤外線センサ等の距離センサ26を採用することで、製品コストも抑えることができるとともに、消費電力の少ない載置台1とすることができる。また、ガイドレール32の抵抗値から距離を算出する構成とすることもでき、設計自由度の高い載置台1として提供することができる。
【００７８】
そして、載置台1の表示領域調整手段としては、白黒液晶パネル22を用いる場合に限定することなく、機械式シャッターを採用して白黒液晶パネル22を省略することもできる。この機械式シャッターは、例えば、上下左右に配設される薄肉の平板を、リンク機構を介してモータにより駆動することで、レンズ5上の表示画面サイズに対応して矩形状のシャッター開口としての表示領域22aの上下幅及び左右幅を夫々調整することができるように構成することができる。尚、手動により上下左右の各シャッターを引出し又は押し広げるようにしてシャッター開口を調整することができるように機械式シャッターを構成することとしてもよい。
【００７９】
また、本発明は、以上の実施例に限定されるものでなく、発明の要旨を逸脱しない範囲で自由に変更、改良が可能である。例えば、表示領域調整手段は、レンズ5上の拡大表示画面に対応して表示領域22aを調整する場合に限定することなく、観者が操作部28を操作することにより、表示画面の一部だけを表示させるように、表示領域22aを調整することができるように構成してもよい。
【００８０】
さらに、載置台1に距離調整手段や距離測定手段を設けずに、デジタルスチルカメラ10とレンズ5との距離が変わることなくデジタルスチルカメラ10が固定される載置台1として構成し、予め制御部40のＲＡＭに記憶された画像変換情報を当該載置台1に対応するデジタルスチルカメラ10に送信することで、歪みを補正することとしてもよい。この場合、レンズ5を異なる種類のものに交換したり、手動で取付部36の位置を変更した後、レンズの特性情報やレンズ5と液晶表示部12との距離情報を入力手段により入力することで、歪み補正手段により歪み補正を実行させて、レンズ5上に拡大させた最適な表示画面を形成させることができる。
【００８１】
そして、載置台1に装着する携帯型電子機器は、デジタルスチルカメラ10に限定されることなく、画像を表示可能とするデジタルビデオカメラやミュージックプレーヤーなどの小型表示装置を有する電子機器とされることもある。
【符号の説明】
【００８２】
1  載置台                                   5  レンズ
10  デジタルスチルカメラ                    11  表示駆動部
12  液晶表示部                              13  虚像
14  入出力インターフェース                  15  カメラ制御部
16  メモリカード                            19  電池
20  保持枠                                  22  白黒液晶パネル
22a 表示領域                                22b フレーム枠部
24  ガラス                                  26  距離センサ
28  操作部                                  30  基台
32  ガイドレール                            36  取付部
40  制御部                                  41  距離算出部
42  歪み補正部                              44  入出力インターフェース
45  表示駆動部                              46  電源回路
47  取付部駆動回路                          48  モータ
49  充電回路                                50  外部電源
52  日時情報                                54  現在日時情報
56  撮影情報                                58  画像名称情報
【図１】
0005440841.tif 000002
【図２】
0005440841.tif 000003
【図３】
0005440841.tif 000004
【図４】
0005440841.tif 000005